(57)【要約】【課題】電磁コイルのコネクタをヨークに取り付ける構造の容易化を図る。【解決手段】口出電線１１がヨーク４の内部空間から外側に引き出され、掛止部１３がヨーク４の外側からコネクタ取付孔３３に挿入され、掛止部１３の鉤部がコネクタ取付孔３３の周りにおけるヨーク４の内部空間の側の内面に対向し、コネクタ１２における掛止部１３の突出した面がコネクタ取付孔３３の周りにおけるヨーク４の外面に対向し、コネクタ取付孔３３の周りにおけるヨーク４が掛止部１３における鉤部とコネクタ１２における掛止部１３の突出した面との間に挟まれ、コネクタ１２がヨーク４よりも外側に突出してヨーク４に取り付けられる。【選択図】図１
2007214223.tif 000002
【特許請求の範囲】
【請求項１】
合成樹脂からなる筒状のボビンにコイルを巻き付けた電磁コイルと、ボビンの内部の一端部に配置されたコアと、電磁コイルを囲むとともにコアに接続された角筒状の１つのヨークと、ヨークの外側からボビンの内部に挿入されたプランジャとを備えた電磁ソレノイド装置において、ヨークにはコネクタを取り付けるためのコネクタ取付孔が設けられ、電磁コイルの口出線にはコネクタが結線され、コネクタには掛止部が設けられ、掛止部がコネクタ取付孔に装着されることによって、コネクタがヨークに取り付けられたことを特徴とする電磁ソレノイド装置。
【請求項２】
２つの分割ヨークが同じ形状からなる１つの分割ヨークにより構成され、この同じ形状からなる１つの分割ヨークが、コイルの外側に配置される第１側壁と、第１側壁と相対峙してコイルの外側に配置される第２側壁と、第１側壁と第２側壁とを互いに繋いでボビンの中心孔の開口突起を嵌め込むかまたはコアを接続するための背壁と、第１側壁の端部に設けられた凹形状または凸形状の第１係合部と、第２側壁の端部に設けられた凸形状または凹形状の第２係合部とを備えた形状であり、１つの分割ヨークの第１係合部ともう１つの分割ヨークの第２係合部とが互いにかしめ付けられることなく嵌め合わされ、１つの分割ヨークの第２係合部ともう１つの分割ヨークの第１係合部とが互いにかしめ付けられることなく嵌め合わされることによって、同じ形状からなる２つの分割ヨークが前記電磁コイルを囲むとともにコアに接続された角筒状の１つのヨークを形成したことを特徴とする請求項１記載の電磁ソレノイド装置。
【請求項３】
コネクタ取付孔がヨークに複数個設けられたことを特徴とする請求項１記載の電磁ソレノイド装置。
【発明の詳細な説明】
【技術分野】
【０００１】
本発明は、電磁コイルのコネクタをヨークに取り付ける構造が容易な電磁ソレノイド装置に関する。
【背景技術】
【０００２】
遊技機には多数の電磁ソレノイド装置が使用されている。コネクタが電磁ソレノイド装置の電磁コイルに接続された配線に設けられている。しかしながら、電磁ソレノイド装置のヨークにリードベースを設け、リードベースにコネクタを取り付ける構造であるため、電磁ソレノイド装置の構造が複雑になるという欠点があった。
【特許文献１】特開２００２−６６０７５号公報
【発明の開示】
【発明が解決しようとする課題】
【０００３】
発明が解決しようとする問題点は、コネクタを取り付けるためのリードベースを電磁ソレノイド装置に設けるというように、電磁ソレノイド装置の構造が複雑であるという点である。
【課題を解決するための手段】
【０００４】
本発明に係る電磁ソレノイド装置は、合成樹脂からなる筒状のボビンにコイルを巻き付けた電磁コイルと、ボビンの内部の一端部に配置されたコアと、電磁コイルを囲むとともにコアに接続されたヨークと、ヨークの外側からボビンの内部に挿入されたプランジャとを備えた電磁ソレノイド装置において、ヨークにはコネクタを取り付けるためのコネクタ取付孔が設けられ、電磁コイルの口出線にはコネクタが結線され、コネクタには掛止部が設けられ、掛止部がコネクタ取付孔に装着されることによって、コネクタがヨークに取り付けられたことを最も主要な特徴とする。ヨークが同じ形状からなる２つの分割ヨークにより構成され、この同じ形状からなる１つの分割ヨークが、コイルの外側に配置される第１側壁と、第１側壁と相対峙してコイルの外側に配置される第２側壁と、第１側壁と第２側壁とを互いに繋いでボビンの中心孔の開口突起を嵌め込むかまたはコアを接続するための背壁と、第１側壁の端部に設けられた凹形状または凸形状の第１係合部と、第２側壁の端部に設けられた凸形状または凹形状の第２係合部とを備えた形状であり、１つの分割ヨークの第１係合部ともう１つの分割ヨークの第２係合部とが互いにかしめ付けられることなく嵌め合わされ、１つの分割ヨークの第２係合部ともう１つの分割ヨークの第１係合部とが互いにかしめ付けられることなく嵌め合わされることによって、同じ形状からなる２つの分割ヨークが前記電磁コイルを囲むとともにコアに接続されたヨークを形成してもよい。また、コネクタ取付孔がヨークに複数個設けられてもよい。
【発明の効果】
【０００５】
本発明に係る電磁ソレノイド装置は、コネクタに設けられた掛止部がヨークに設けられたコネクタ取付孔に装着されることによって、コネクタがヨークに取り付けられたので、電磁ソレノイド装置の構造が簡単であるという利点がある。本発明に係る電磁ソレノイド装置において、第１係合部と第２係合部とが互いにかしめ付けられることなく嵌め合わされることによって、ヨークが同じ形状からなる２つの分割ヨークにより構成されれば、電磁ソレノイド装置が使用済として回収され、回収された電磁ソレノイド装置が製品として再び使用可能であるか否かの検査を行われ、検査の結果、使用不可能となった電磁ソレノイド装置において、電磁コイルとコアおよびプランジャが損傷なく、ヨークを交換すると、使用可能となる場合、１つのヨークを構成する２つの分割ヨークが互いに離れる方向に引っ張られることによって、第１係合部と第２係合部の嵌め合いが解除され、２つの分割ヨークを容易に分解することができるという利点があり、分解後、新しいコアの固定された１つの分割ヨークと新しいコアの固定されていないもう１つの分割ヨークとを使用し、こられの新しい２つの分割ヨークと上記分解された使用可能な電磁コイルおよびプランジャによって、電磁ソレノイド装置を組み立てることによって、電磁ソレノイド装置が再生できるという利点がある。コネクタ取付孔がヨークに複数個設けられれば、電磁ソレノイド装置を用いた遊技部品の形状あるいは検出電線などの関係から、コネクタをヨークに取り付ける位置を適切に変更できるという利点がある。
【発明を実施するための最良の形態】
【０００６】
図１乃至図６は、発明を実施するための最良の形態である。図１のａ図は、コネクタを取り外した電磁ソレノイド装置１の外観を示し、図１のｂ図は、コネクタを取り付けた電磁ソレノイド装置の外観を示す。図２は、電磁ソレノイド装置１を分解して示す。図３は、コア３の裏側の外観を示す。図４は、コア３とストッパ６との寸法関係を示す。図５は、電磁ソレノイド装置１をソレノイド取付部５１に取り付けた形態を図１のＢ−Ｂ線に沿い切断した断面を示す。図６は、電磁ソレノイド装置１を備えた遊技部品５５が遊技盤８０に取り付けられた縦断面を示す。この明細書において、「前」、「後」、「裏」、「左」、「右」、「上」、「下」の方向は、図１の状態に電磁ソレノイド装置１を置いて矢印Ａで示す前側から見た場合に特定される方向である。「後」と「裏」とは同じ方向である。
【０００７】
図１を参照し、電磁ソレノイド装置１の特徴的な構造について説明する。図１のａ図に示すように、ヨーク４には、コネクタ取付孔３３が設けられる。コイル８の口出電線１１にはコネクタ１２が設けられる。コネクタ１２には掛止部１３が設けられる。そして、口出電線１１がヨーク４の内部空間から外側に引き出され、掛止部１３がヨーク４の外側からコネクタ取付孔３３に挿入される。これに伴い、掛止部１３における一対の弾性片が、互いに対向する方向に近づくように撓む。その後、掛止部１３の鉤部がコネクタ取付孔３３をヨーク４の内部空間の側に貫通する。これに伴い、掛止部１３における一対の弾性片が互いに離れる方向に広がるように復元し、掛止部１３の鉤部がコネクタ取付孔３３の周りにおけるヨーク４の内部空間の側の内面に対向し、コネクタ１２における掛止部１３の突出した面がコネクタ取付孔３３の周りにおけるヨーク４の外面に対向する。これによって、図１のｂ図に示すように、コネクタ取付孔３３の周りにおけるヨーク４が掛止部１３における鉤部とコネクタ１２における掛止部１３の突出した面との間に挟まれ、コネクタ１２がヨーク４よりも外側に突出してヨーク４に取り付けられる。つまり、コネクタ１２に設けられた掛止部１３がヨーク４に設けられたコネクタ取付孔３３に装着されることによって、コネクタ１２がヨーク４に取り付けられたので、電磁ソレノイド装置１の構造が簡単であるという利点がある。
【０００８】
図２を参照し、電磁ソレノイド装置１の構成部品について説明する。電磁ソレノイド装置１は、構成部品として、電磁コイル２とコア３とヨーク４とプランジャ５およびストッパ６を備える。電磁コイル２は、前後方向に貫通する筒状の合成樹脂からなるボビン７の外周面にコイル８を巻き付けた形状であって、コイル８が電力供給を受けることによって、電磁コイル２がコイル８の内側と外側とを通る環状の磁界を形成し、コイル８への電力供給が遮断されることによって、電磁コイル２が消磁する構造である。ボビン７の前部および後部には、鍔部９が、ボビン７から径方向外側に突出する方形な板状に設けられる。前側および後側の鍔部９は、それらの間におけるボビン７の外周面に巻き付けられたコイル８が鍔部９よりも前側および後側に崩れないように支持する。ボビン７における前側の鍔部９よりも前側に位置する前端部には、開口突起１０が、前側に筒状に突出する。ボビン７の前端部は、プランジャ５がボビン７に出たり入ったりする側に位置する一端部である。コイル８から外側に延長された口出電線１１は、コイル８に電力を供給したり遮断したりする被覆電線により構成される。口出電線１１には、電線相互を接続する継手を構成するコネクタ１２が結線される。コネクタ１２の合成樹脂からなるコネクタボディには、一対の掛止部１３が設けられる。掛止部１３は、コネクタボディの一側面から外側に相対峙して突出した一対の弾性片と、一対の弾性片の先端部に突出した鉤部とにより構成される。コネクタ１２には、制御電線１４の一端部に結線されたコネクタ１５が、機械的に嵌め込まれかつ通電可能に接続される。制御電線１４は、電磁ソレノイド装置１を制御するための図外の制御装置と電磁コイル２とを通電可能に接続する被覆電線により構成される。制御電線１４の他端部には、コネクタ１６が結線される。
【０００９】
コア３は、ボビン７の後端部に配置され、電磁コイル２の磁界によって電磁石になり、電磁コイル２の消磁によって電磁石としての機能を失うものであって、コア基礎部１７とヨーク受止部１８と固定部１９およびストッパ取付孔２０を備える。コア３の配置されるボビン７の後端部は、プランジャ５がボビン７に出たり入ったりする側と逆方向に位置する一端部である。コア基礎部１７は、ボビン７の内部に収納される部分であって、コア基礎部１７がボビン７に挿入された場合、コア基礎部１７の外周面がボビン７の内周面と接触する、太さの直線的な棒状である。ヨーク受止部１８は、コア基礎部１７の後端部からコア基礎部１７の直径方向の外側に突出し、固定部１９がヨーク４の貫通孔２８に挿入された場合、貫通孔２８の周囲における背壁２７に接触する部分である。固定部１９は、コア基礎部１７と同軸であって、コア基礎部１７の後端から後側に突出し、ヨーク４に固着される部分である。ストッパ取付孔２０は、コア基礎部１７とヨーク受止部１８および固定部１９の中心において、コア基礎部１７の前端面と固定部１９の後端面とに貫通し、ストッパ６を取り付けるための孔である。つまり、ストッパ取付孔２０は、コア基礎部１７とヨーク受止部１８および固定部１９の中心を前後方向に貫通する。
【００１０】
ヨーク４は、電磁コイル２を囲むとともにコア３に接続された１つの角筒状であって、電磁コイル２の磁界をコア３に収束させる部材である。ヨーク４は、同じ形状からなる２つの分割ヨーク２４により構成される。同じ形状からなる１つの分割ヨーク２４は、第１側壁２５、第２側壁２６、背壁２７、貫通孔２８、第１係合部２９、第２係合部３０、第１取付孔３１、第２取付孔３２、コネクタ取付孔３３を一体に備えた形状である。第１側壁２５および第２側壁２６は、互いに相対峙し、コイル８の径方向の外側に配置される部分である。背壁２７は、第１側壁２５および第２側壁２６を互いに繋ぐ部分である。貫通孔２８は、ボビン７の開口突起１０を嵌め込むかまたはコア３の固定部１９を接続するために、背壁２７に設けられる。第１係合部２９は、第１側壁２５の分割端部に設けられ、第１側壁２５を上方から見た場合に、方形な凹形状である。第２係合部３０は、第２側壁２６の分割端部に設けられ、第２側壁２６を下から見た場合に、方形な凸形状である。第１係合部２９の凹形状および第２係合部３０の凸形状は、互いに嵌め合わされる形状である。第１取付孔３１は、第１側壁２５に、第１側壁２５の外側面と内側面とへの貫通孔に雌ねじの形成されたねじ孔として形成される。第２取付孔３２は、第２側壁２６に、第２側壁２６の外側面と内側面とへの貫通孔に雌ねじの形成されたねじ孔として形成される。第１取付孔３１と背壁２７との間の寸法Ｌ１と、第２取付孔３２と背壁２７との間の寸法Ｌ２とは、同一寸法である（Ｌ１＝Ｌ２）。コネクタ取付孔３３は、コネクタ１２を取り付けるための部分であって、第１側壁２５に、第１側壁２５の外側面と内側面および分割端面３７に貫通した溝として形成される。
【００１１】
第１係合部２９の凹形状と第２係合部３０との凸形状が互いに嵌め合わされる形状について詳述する。第１係合部２９は、互いに平行に相対峙する一対の対向面３４；３５と、対向面３４；３５を互いに繋ぐ１つの連結面３６とによって、第１側壁２５の分割端面３７から内部に窪む形状である。対向面３４；３５は、ボビン７の前後方向への軸心と平行になっている。第２係合部３０は、互いに平行に相対峙する一対の対向面３８；３９と、対向面３８；３９を互いに繋ぐ１つの連結面４０とによって、第２側壁２６の分割端面４１から外部に突出する形状である。対向面３８；３９は、ボビン７の前後方向への軸心と平行になっている。第１係合部２９における対向面３４；３５の間の寸法Ｔ１と、第２係合部３０における対向面３８；３９の間の寸法Ｔ２とは、同一寸法である（Ｔ１＝Ｔ２）。第１係合部２９における連結面３６と分割端面３７との間の寸法Ｔ３と、第２係合部３０における連結面４０と分割端面４１との間の寸法Ｔ４とは、同一寸法である（Ｔ３＝Ｔ４）。これによって、一方の分割ヨーク２４における第１係合部２９と他方の分割ヨーク２４における第２係合部３０とが互いに人の力による圧入で嵌め合わされることが可能になっている。そして、一方の分割ヨーク２４における第１係合部２９と他方の分割ヨーク２４における第２係合部３０とが互いに嵌め合わされると、対向面３４；３５と対向面３８；３９とが互いに接触し、連結面３６と連結面４０とが互いに接触する。
【００１２】
プランジャ５は、ボビン７の前側からボビン７にボビン７の軸方向に移動可能に挿入され、電磁石となったコア３に吸引されてボビン７の後端側に向かって移動し、コア３が電磁石の機能を失うと、コイルばね４２のばね力でボビン７の前端側に向かって移動する駆動部材である。プランジャ５は、プランジャ胴体４３とばね受止部４４および連結孔４５を備える。コイルばね４２は、ヨーク４の側からプランジャ胴体４３の外側に配置されるようにプランジャ胴体４３に嵌め込まれ、ばね受止部４４に受け止められる。プランジャ胴体４３は、丸棒により構成される。ばね受止部４４は、プランジャ胴体４３の一端部に設けられる。ばね受止部４４は、止輪で構成してもよい。ばね受止部４４が止輪で構成された場合、溝がプランジャ胴体４３の外周面に形成され、当該溝にばね受止部４４が装着される。ストッパ６は、ストッパ胴体４８およびプランジャ受止部４９を備える。ストッパ胴体４８は、ストッパ取付孔２０に挿入される直線的な棒状である。プランジャ受止部４９は、ストッパ胴体４８の一端に同軸に設けられ、ストッパ胴体４８の外径よりも大きな外径を有する。プランジャ受止部４９の外径は、ストッパ取付孔２０の口径よりも大きい。
【００１３】
図３を参照し、コア３の固定部１９の内部構造について説明する。コア３の固定部１９には、固定部１９の後端面から内部への窪み２１が形成される。固定部１９の窪み２１を囲む周壁２２は、コア３をヨーク４に固定する部分を構成する。
【００１４】
図４を参照し、コア３とストッパ６との寸法関係について説明する。ストッパ６におけるストッパ胴体４８の前後方向の寸法Ｌ３は、コア３におけるストッパ取付孔２０の前後方向（軸方向）の寸法Ｌ４よりも大きい（Ｌ３＞Ｌ４）。
【００１５】
図２を参照し、電磁ソレノイド装置１の組み立て方について説明する。ストッパ６のストッパ胴体４８がコア基礎部１７の側からコア３のストッパ取付孔２０に挿入され、プランジャ受止部４９がコア基礎部１７の一端面に接触し、ストッパ胴体４８におけるコア３の固定部１９から後側に突出した部分が人または機械によって押し潰されるようにかしめ付けられてストッパ取付孔２０よりも径方向外側に大きな押潰部５０（図５参照）となることによって、押潰部５０およびプランジャ受止部４９がストッパ取付孔２０の前後方向からコア３を挟み、ストッパ６がコア３に固定的に取り付けられ、プランジャ受止部４９がストッパ取付孔２０から前側に突出する。
【００１６】
コア３が同じ形状からなる２つの分割ヨーク２４の一方に固定される。その場合、コア３の固定部１９が一方の分割ヨーク２４である１つの分割ヨーク２４の第１側壁２５と第２側壁２６との間から貫通孔２８に挿入され、ヨーク受止部１８が第１側壁２５と第２側壁２６との間に位置する背壁２７の内側面に接触し、固定部１９における背壁２７から外側に突出した部分が人または機械によって窪み２１（図４参照）の内側から外側に押し潰されるようにかしめ付けられることによって貫通孔２８より径方向外側に大きく広がる。これによって、コア３の固定部１９が背壁２７の内面に接触し、上記押し潰された固定部１９の部分およびヨーク受止部１８が背壁２７を前後方向から挟み、コア３が１つの分割ヨーク２４に固定的に取り付けられる。ストッパ６のコア３への取付作業とコア３の１つの分割ヨーク２４への取付作業とは、いずれが先でもよい。
【００１７】
次に、電磁コイル２がコア３の固定された１つの分割ヨーク２４とコア３の固定されていない他方の分割ヨーク２４であるもう１つの分割ヨーク２４とに組み付けられる。その場合、１つの分割ヨーク２４およびもう１つの分割ヨーク２４は、１つの分割ヨーク２４における第１係合部２９ともう１つの分割ヨーク２４における第２係合部３０とが互いに向かい合わせられ、１つの分割ヨーク２４における第２係合部３０ともう１つの分割ヨーク２４における第１係合部２９とが互いに向かい合わせられ、１つの分割ヨーク２４における背壁２７ともう１つの分割ヨーク２４における背壁２７とが互いに向かい合わせられる。そして、電磁コイル２の開口突起１０がもう１つの分割ヨーク２４における第１側壁２５と第２側壁２６との間から貫通孔２８に挿入され、開口突起１０の周囲における電磁コイル２の鍔部９の面がもう１つの分割ヨーク２４における背壁２７の内側面に接触する。また、コア３における１つの分割ヨーク２４の背壁２７から前側に突出したコア基礎部１７が電磁コイル２の開口突起１０の設けられていない方の鍔部９の側からボビン７に挿入されてボビン７の一端部に配置される。これによって、電磁コイル２のボビン７を囲むボビン７の内周面とコア基礎部１７の外周面とが互いに接触し、電磁コイル２の開口突起１０の設けられていない方の鍔部９とヨーク受止部１８とが互いに接触する。
【００１８】
それから、１つの分割ヨーク２４の背壁２７ともう１つの分割ヨーク２４の背壁２７とにおける対向間隔が狭くなるように、１つの分割ヨーク２４およびもう１つの分割ヨーク２４が互いに近づけられることによって、第１係合部２９と第２係合部３０とが互いにかしめ付けられることなく嵌め合わされる。これによって、２つの分割ヨーク２４が、電磁コイル２を囲むとともにコア３に接続された角筒状の１つのヨーク４として構成される。その後、プランジャ５が開口突起１０の側からボビン７に挿入されると、プランジャ５がボビン７に配置されたコア３のプランジャ受止部４９に衝突し、それ以上、プランジャ５がボビン７に挿入されないように停止する。これによって、電磁ソレノイド装置１が図４に示す形状に組み立てられる。電磁ソレノイド装置１が組み立てられた後、テープやリボン状の固着部材が１つの分割ヨーク２４ともう１つの分割ヨーク２４とに外側から第１取付孔３１と第２取付孔３２とを塞がないように鉢巻状に巻き付けられれば、第１係合部２９と第２係合部３０とのかしめ付けられていない嵌め合いが解除されることはないという利点がある。
【００１９】
図５において、前記のように組み立てられた電磁ソレノイド装置１は、電磁ソレノイド装置１を取り付けるための単一物として構成されたソレノイド取付部５１に次のように取り付けられる。ソレノイド取付部５１には複数のねじ挿入孔５２が貫通孔として設けられる。そして、電磁ソレノイド装置１における相互に組み合わされて板状となった一組の第１側壁２５および第２側壁２６がソレノイド取付部５１に重ね合わされ、止ねじ５３がソレノイド取付部５１の外側からねじ挿入孔５２を経由して第１取付孔３１に締め付けられ、別の止ねじ５３がソレノイド取付部５１の外側からねじ挿入孔５２を経由して第２取付孔３２に締め付けられ、電磁ソレノイド装置１がソレノイド取付部５１に止ねじ５３で固定的に取り付けられる。これによって、ヨーク４を構成している２つの分割ヨーク２４がソレノイド取付部５１に固定され、第１係合部２９と第２係合部３０との嵌め合いが適切に維持され、電磁ソレノイド装置１の機能が発揮できるという利点がある。ソレノイド取付部５１は、遊技機の場合、羽根、開閉体、扉、スライダー、可動体など動く部材（電磁ソレノイド装置１によって動作される部材）を有する遊技部品５５（図６参照）に設けられる。電磁ソレノイド装置１が遊技部品５５に取り付けられた形態は、図６で後述する。
【００２０】
最良の形態における電磁ソレノイド装置１は、電磁コイル２を囲むとともにコア３に接続された角筒状の１つのヨーク４が同じ形状からなる２つの分割ヨーク２４により構成されるものであって、同じ形状からなる１つの分割ヨーク２４が、コイル８の外側に配置される第１側壁２５と、第１側壁２５と相対峙してコイル８の外側に配置される第２側壁２６と、第１側壁２５と第２側壁２６とを互いに連接してボビン７のボビン７の開口突起１０を嵌め込むかまたはコア３を接続するための背壁２７と、第１側壁２５の端部に設けられた凹形状の第１係合部２９と、第２側壁２６の端部に設けられた凸形状の第２係合部３０とを備えた形状であり、１つの分割ヨーク２４における第１係合部２９ともう１つの分割ヨーク２４における第２係合部３０とが互いに嵌め合わされ、１つの分割ヨーク２４における第２係合部３０ともう１つの分割ヨーク２４における第１係合部２９とが互いに嵌め合わされることによって、同じ形状からなる２つの分割ヨーク２４が前記電磁コイル２を囲むとともにコア３に接続された角筒状の１つのヨーク４を形成した構造である。
【００２１】
このため、電磁ソレノイド装置１が使用済として回収され、回収された電磁ソレノイド装置１が製品として再び使用可能であるか否かの検査を行われ、検査の結果、使用不可能となった電磁ソレノイド装置１において、電磁コイル２とコア３およびプランジャ５が錆や傷など損傷のないものの、ヨーク４が錆びており、ヨーク４を交換すると、使用可能となる場合、止ねじ５３が取り外され、電磁ソレノイド装置１がソレノイド取付部５１から取り外された状態において、人が１つのヨーク４を構成する２つの分割ヨーク２４を互いに離れる方向つまり前後方向に引っ張ることによって、第１係合部２９と第２係合部３０の嵌め合いが解除され、２つの分割ヨーク２４を容易に分解することができるという利点がある。分解後、新しいコア３の固定された１つの分割ヨーク２４と新しいコア３の固定されていないもう１つの分割ヨーク２４とを使用し、こられの新しい２つの分割ヨーク２４と上記分解された使用可能な電磁コイル２およびプランジャ５によって、電磁ソレノイド装置１を組み立てることによって、電磁ソレノイド装置１が再生できるという利点がある。
【００２２】
ストッパ６のストッパ胴体４８の外周面に雄ねじを形成し、コア３のストッパ取付孔２０の内周面に雌ねじを形成し、ストッパ胴体４８をコア３の前側からストッパ取付孔２０に締結し、プランジャ受止部４９をコア３の前面に接触させることによって、ストッパ６をコア３に結合してもよいが、ストッパ６に押潰部５０が形成されたことによって、ストッパ６がコア３に結合されているので、上記ストッパ６を雄ねじと雌ねじとによるねじ嵌合でコア３に結合した場合よりも、ストッパ６のコア３への結合が強固である。よって、プランジャ５がプランジャ受止部４９に衝突する衝撃によって、ストッパ６とコア３との結合が弛むことがないという利点がある。
【００２３】
コア３が１つの分割ヨーク２４に貫通孔２８を介して結合され、コア３のコア基礎部１７の外周面がボビン７を囲むボビン７の内周面に接触してボビン７に収納され、電磁コイル２の開口突起１０がもう１つの分割ヨーク２４の貫通孔２８に嵌め込まれているので、２つの分割ヨーク２４からなる１つのヨーク４の形態、電磁コイル２が２つの分割ヨーク２４からなる１つのヨーク４の内部に配置された形態が適切に保持され、プランジャ５がボビン７の内部で前後方向に移動する、電磁ソレノイド装置１の本来の性能が好適に発揮できるという利点がある。コネクタ取付孔３３がヨーク４に複数個設けられているので、遊技部品５５（図６参照）の形状あるいは検出電線７４（図６参照）などの関係から、コネクタをヨーク４に取り付ける位置を適切に変更できるという利点がある。
【００２４】
図６を参照し、電磁ソレノイド装置１が取り付けられた遊技部品５５の構造について説明する。図６では、遊技部品５５として、電動チューリップタイプの入賞部品を例示する。遊技部品５５は、電磁ソレノイド装置１、ソレノイド取付部５１、取付基盤５６、入賞孔部５７、球導入部５８、球排出孔５９、球導出部６０、軸取付部６１、羽根６２、リンク機構６３、球検出器６４を備える。電磁ソレノイド装置１がソレノイド取付部５１に取り付けられ、電磁ソレノイド装置１の連結孔４５が後側に向けられる。ソレノイド取付部５１は、取付基盤５６から裏側に突出するように、取付基盤５６に設けられる。取付基盤５６は、板状であって、前後方向に貫通する図外の取付孔を有する。入賞孔部５７は、取付基盤５６から前側に突出するように、取付基盤５６に設けられる。球導入部５８は、入賞孔部５７が取付基盤５６に設けられたことによって、球Ｐを上方から取り込むポケットタイプとして構成される。球排出孔５９は、球Ｐを球導入部５８から球導出部６０に通過させるものであって、取付基盤５６に前後方向への貫通孔として設けられる。球導出部６０は、球Ｐを取付基盤５６から裏側に排出するものであって、取付基盤５６から裏側に突出するように、取付基盤５６に設けられる。軸取付部６１は、ソレノイド取付部５１と球導出部６０との間に位置し、取付基盤５６から裏側に突出するように、取付基盤５６に設けられる。
【００２５】
羽根６２は、一対であって、球導入部５８よりも上方に突出するように、取付基盤５６および入賞孔部５７の間に配置される。羽根６２の下部は、取付基盤５６および入賞孔部５７に図外の羽根軸で回転可能に取り付けられる。羽根６２の裏面には凹部６５が設けられる。リンク機構６３は、電磁ソレノイド装置１のプランジャ５と羽根６２とを連結するものであって、第１リンク部材６６、第２リンク部材６７、第１連結軸６８、第２連結軸６９、リンク軸７０を備える。第１リンク部材６６の一端部がプランジャ５に第１連結軸６８で回転可能に連結される。この場合、第１連結軸６８が連結孔４５および第１リンク部材６６の一端部に形成された図外の連結孔に嵌め込まれる。第１リンク部材６６の他端部が第２リンク部材６７の一端部に第２連結軸６９で回転可能に連結される。第２リンク部材６７は、一端部と他端部とが互いに交差した屈曲形状である。第２リンク部材６７における一端部と他端部との交差部が軸取付部６１にリンク軸７０で回転可能に連結される。これによって、第２リンク部材６７の一端部が上方に向き、第２リンク部材６７の他端部が前方に向く。第２リンク部材６７の他端部には、突起７１が設けられる。突起７１は、取付基盤５６の裏側から、取付基盤５６に形成された図外の貫通孔を経由して、羽根６２の凹部６５に嵌め込まれる。
【００２６】
球検出器６４は、合成樹脂からなる板状の検出器ボディの一半部に球検出孔７２を備え、検出器ボディの内部に球を検出するための図外の電気部品を備え、検出器ボディの一端面にコネクタ７３を備える。そして、球検出孔７２が取付基盤５６の側に向けられ、コネクタ７３が後側に向けられ、球検出器６４の検出器ボディが取付基盤５６を後側から貫通して入賞孔部５７に受け止められ、球検出孔７２が球導入部５８に配置され、球検出器６４が取付基盤５６および入賞孔部５７に取り付けられる。コネクタ７３には、検出電線７４の一端部に結線されたコネクタ７５が、機械的に嵌め込まれかつ通電可能に接続される。検出電線７４は、電磁ソレノイド装置１を制御するための図外の制御装置と検出電線７４とを通電可能に接続する被覆電線により構成される。検出電線７４の他端部には、上記図外の制御装置に接続されるコネクタ７６が結線される。
【００２７】
電磁ソレノイド装置１の設けられた遊技部品５５は、遊技盤８０に次のように取り付けられる。遊技盤８０には、部品逃避孔８１が前後方向への貫通孔として設けられる。電磁ソレノイド装置１が遊技盤８０の前側から部品逃避孔８１に挿入され、木ねじのような釘８２が取付基盤５６の前側から取付基盤５６の図外の取付孔を経由して遊技盤８０に取り付けられ、遊技部品５５が遊技盤８０に取り付けられる。遊技部品５５が遊技盤８０に取り付けられた場合、取付基盤５６、入賞孔部５７、球導入部５８、羽根６２、球検出孔７２が、遊技盤８０の前面における遊技領域８３よりも前側に配置される。遊技盤８０の前側には、ガラス８４が配置される。ガラス８４は、遊技盤８０が格納される図外の遊技機枠に設けられる。遊技領域８３およびガラス８４の間には、球Ｐが矢印Ｘ１で示す方向に落下する遊技空間８５が形成される。
【００２８】
そして、コイルばね４２がプランジャ５の第１連結軸６８の側をソレノイド取付部５１から裏側に離れる方向に付勢した状態において、電磁ソレノイド装置１が図外の制御装置から電力供給を受け、プランジャ５の第１連結軸６８の側がコイルばね４２を圧縮しつつソレノイド取付部５１に近づくように前側に移動すると、第２リンク部材６７の一端部がリンク軸７０を中心として後側に移動し、第２リンク部材６７の他端部がリンク軸７０を中心として下方に移動する。これによって、突起７１が凹部６５を下げ、一対の羽根６２が図外の羽根軸を中心として互いに離れるように横方向に開く。具体的には、図６の手前側に位置する羽根６２は図６の紙面の裏側から表側に開き、図６の向こう側に位置する羽根６２は図６の紙面の表側から裏側に開く。このように一対の羽根６２が開くことによって、遊技空間８５を落下する球Ｐが一対の羽根６２の間に取り込まれやすくなる。遊技空間８５から一対の羽根６２の間に取り込まれた球Ｐは、羽根６２の間から球検出孔７２を通過する。すると、球検出器６４が、球検出孔７２を通過する球を検出し、球検出信号を図外の制御装置に出力する。球検出孔７２を通過した球Ｐは、球導入部５８から球排出孔５９および球導出部６０を経由して遊技盤８０の裏側に排出される。
【産業上の利用可能性】
【００２９】
第１係合部２９と第２係合部３０を人の力で圧入することなく嵌め合わせるように形成し、第１係合部２９と第２係合部３０を嵌め合わせる場合に第１係合部２９と第２係合部３０を接着剤で結合してもよい。この場合、接着剤の厚さは、第１係合部２９と第２係合部３０との間における磁界の連続性が維持されるエアギャップの範囲に限定されるが、接着剤が硬化するので、電磁ソレノイド装置１を分解する場合、ヨーク４を外側からハンマのような工具で叩き、第１係合部２９と第２係合部３０とに衝撃を与えることによって、硬化した接着剤による第１係合部２９と第２係合部３０との結合を破壊すれば、電磁ソレノイド装置１を容易に分解することができる。遊技部品５５としては、電磁ソレノイド装置１によって動かされる部材を有するものであればよい。電磁ソレノイド装置１によって動かされる部材としては、開閉体、扉、スライダー、可動体などがある。分割ヨーク２４は同一形状でなくてもよい。コネクタ取付孔３３は、２つの分割ヨーク２４にわたって形成されても、１つの分割ヨーク２４の分割端面３７以外の分割ヨーク２４の内部に設けられてもよい。コネクタ取付孔３３がヨーク４の第２側壁２６または背壁２７などに設けられてもよい。
【図面の簡単な説明】
【００３０】
【図１】ａ図はコネクタを取り外した電磁ソレノイド装置の斜視図、ｂ図はコネクタを取り付けた電磁ソレノイド装置の斜視図（最良の形態）。
【図２】電磁ソレノイド装置の分解斜視図（最良の形態）。
【図３】コアの裏側斜視図（最良の形態）。
【図４】ストッパとコアとの寸法関係を示す模式図（最良の形態）。
【図５】電磁ソレノイド装置を相手側部材に取り付けた形態を示す図１のＢ−Ｂ線断面図（最良の形態）。
【図６】遊技部品を遊技盤に取り付けた縦断面図（最良の形態）。
【符号の説明】
【００３１】
１    電磁ソレノイド装置
２    電磁コイル
３    コア
４    ヨーク
５    プランジャ
１２  コネクタ
１３  掛止部
２５  第１側壁
２６  第２側壁
２７  背壁
２９  第１係合部
３０  第２係合部
３１  第１取付孔
３２  第２取付孔
３３  コネクタ取付孔
【図１】
2007214223.tif 000003
【図２】
2007214223.tif 000004
【図３】
2007214223.tif 000005
【図４】
2007214223.tif 000006
【図５】
2007214223.tif 000007
【図６】
2007214223.tif 000008